(57)【特許請求の範囲】
【請求項１】
電動機と電源のインターロックを内蔵する本体と、この本体に着脱自在に載置されるコップ台に、外周面に雄ねじを設けたコップを前記コップ台の内周面に設けた雌ねじとねじ嵌合することで前記コップ台に着脱自在に取り付ける構成とした容器と、所定位置まで下動すると前記インターロックを解除する容器検知体と、前記雌ねじの部分に形成した切り欠き内に設けられ上端が前記コップの雄ねじに嵌合する雌ねじとなる遊嵌した中継部品とを備え、前記容器は、前記コップ台に前記コップをセットした時、前記雄ねじが前記中継部品の位置を規制するように構成され、かつこの状態で前記本体に載せられると前記中継部品が前記容器検知体を押し下げることにより、前記容器検知体が前記インターロックを解除し前記電源を入れることを可能とするように構成された電動調理器。
【請求項２】
コップ台の切り欠きの上部に雌ねじを形成した請求項１記載の電動調理器。
【請求項３】
コップ台を単体で本体に載置した時、中継部品はコップの雄ねじで位置規制がされず上下動可能であり、この時の前記中継部品の上死点を切り欠きの上端とした請求項２記載の電動調理器。
【請求項４】
中継部品が上死点に移動し、かつ、コップがコップ台にセットされた時、前記中継部品の雌ねじは近接するコップ台の雌ねじの位置に規制される請求項１記載の電動調理器。
【請求項５】
中継部品が上死点に移動し、かつ、コップがコップ台にセットされた時、前記中継部品の雌ねじは前記コップの雄ねじに押されても切り欠きの上端側に前記切欠きの上端に圧接されることなく変位する請求項１記載の電動調理器。
【請求項６】
同形状で下死点の異なる中継部品を複数設けた請求項１記載の電動調理器。
【請求項７】
異形状で下死点を同一とする中継部品を複数設けた請求項１記載の電動調理器。
【請求項８】
複数の中継部品を一体とした請求項１記載の電動調理器。
【請求項９】
コップ台を単体で本体に載置した時、中継部品はコップの雄ねじで位置規制がされず上下動可能であり容器検知体がインターロックの解除動作をせず、かつ前記コップ台を前記本体に載置しない時、前記コップ台を逆様にしたり、斜めにして前記コップに嵌合しても、前記中継部品が下死点で固定されるように、前記コップ台は弾性体または前記中継部品に設けた弾性部により前記中継部品を下方に付勢した請求項１記載の電動調理器。
【発明の詳細な説明】
【０００１】
【発明の属する技術分野】
本発明は、一般家庭用および業務用で用いられるミキサーなどの電動調理器に関するものである。
【０００２】
【従来の技術】
従来のミキサーについて、特願平１１−１６７７１号公報に記載されたものを例に説明する。図１３、図１４において、１は電動機（図示せず）と電源のインターロック（図示せず）を内蔵し駆動コネクタ２を有する本体で、上部に設けたツノ３の部分にコップ台４を着脱自在に載置している。コップ台４にはカッター５と従動コネクタ６を回転自在に軸支し、パッキン７を挟み込んでガラスまたは樹脂製のコップ８をねじ嵌合で着脱自在に取り付けて容器９を構成している。１０はコップ台４の内周面の雌ねじ、１１はコップ８の外周面の雄ねじであり、雌ねじ１０にはねじのない部分である切り欠き１２を設けるとともに、その下方に環状の中継部品１３を上下動可能に取り付けており、中継部品１３の上面には切り欠き１２内にまで突出する部分的な突起物である先端１４を設けている。そして、容器９を組み立てるとコップ８の雄ねじ１１が先端１４を押し下げ中継部品１３は下限位置に固定される。１５は容器９を本体１上に載置すると下限位置に固定された中継部品１３に押されて下動する容器検知体で、容器検知体１５が下動すると本体１に内蔵された電源のインターロックを解除するように構成されている。
【０００３】
そして前記のように構成されたミキサーにおいては、コップ台４を単体で本体１のツノ３の部分に載せても中継部品１３は下限位置に固定されておらず上方に逃げるため、容器検知体１５が下動せずインターロックが解除しないため電源を入れることができないように安全になっている。
【０００４】
【発明が解決しようとする課題】
しかしながら、前記のように構成された従来のミキサーは、中継部品１３がスムーズに動作するためには幅を大きくする必要があり、結果としてコップ台４の雌ねじ１０部分が少なくなり、コップ台４とコップ８のねじ嵌合が不確実になるという課題を有していた。
【０００５】
具体的には以下の理由による。図１５（ａ）、（ｂ）はコップ台４を単体で本体１に載せ、中継部品１３は容器検知体１５により上方に付勢されているところにコップ８をコップ台４に嵌合させ、コップ８の雄ねじ１１が中継部品１３を押し下げている状態を示している。概念的に雄ねじ１１が中継部品１３を押し下げていくためには、中継部品１３の先端１４の角度は４５°以下であるべきで、その場合中継部品１３の幅はねじピッチと同じａとなる。
【０００６】
現実には（ａ）の位置で先端１４を押し下げられずコップ台４にコップ８を締め付けられないか、または、強引に締め付けて先端１４を押し下げられるが１ピッチ進んで（ｂ）の位置になると（ａ）の位置より中継部品１３を押し下げさせまいとする抵抗力が増加するため、コップ８をそれ以上締め付けることができない。また、中継部品１３にも過大な力がかかり、破損の恐れもでてくる。
【０００７】
雄ねじ１０が中継部品１３をスムーズに押し下げていくためには、図１５（ｃ）、（ｄ）のように、中継部品１３の先端１４の角度は少なくとも３０°以下であるべきであることを実験的に確認しており、その場合中継部品１３の幅はねじピッチをａとするとａ／ｔａｎ３０°となる。すなわち、中継部品１３がスムーズに動作するためには幅を大きくする必要があることを意味している。
【０００８】
この構成はコップ台４の雌ねじ１０に部分的にねじのない切り欠き１２を設けているため、実際のものづくりを考えた場合、コップ台４の雌ねじ１０は図１６のようにねじが全周にあるのではなく、何箇所か切り欠いた形状になる。従って、中継部品１３の幅が大きくなると、コップ台の４の雌ねじ部分が少なくなり、コップ台４とコップ８のねじ嵌合が不確実になる。
【０００９】
また、中継部品１３はコップ台４にコップ８を締め付けた分だけ押し下げられるので、容器検知体１５はパッキン７がない時のストローク分の余分なストロークを必要とするという課題も有していた。つまり、容器検知体１５にパッキン７がない時のストローク分余裕がないと、容器９を本体１に載置した時、容器９は下死点まで下がりきった容器検知体１５に上方に押され、不安定に載置された状態で誤って運転されると、駆動コネクタ２と従動コネクタ６の嵌合が不十分になり、異常摩耗するなどの恐れもある。
【００１０】
本発明は、前記従来の課題を解決するもので、コップ台とコップのねじ嵌合を確実なものとし、かつ、容器検知体のストロークを安定かつ少なくすることができる、コップ台を単体で本体上に載せても電源を入れられない安全な電動調理器を提供することを目的とする。
【００１１】
【課題を解決するための手段】
この課題を解決するために本発明は、電動機と電源のインターロックを内蔵する本体と、この本体に着脱自在に載置されるコップ台に、外周面に雄ねじを設けたコップを前記コップ台の内周面に設けた雌ねじとねじ嵌合することで前記コップ台に着脱自在に取り付ける構成とした容器と、所定位置まで下動すると前記インターロックを解除する容器検知体と、前記雌ねじの部分に形成した切り欠き内に設けられ上端が前記コップの雄ねじに嵌合する雌ねじとなる遊嵌した中継部品とを備え、前記容器は、前記コップ台に前記コップをセットした時、前記雄ねじが前記中継部品の位置を規制するように構成され、かつこの状態で前記本体に載せられると前記中継部品が前記容器検知体を押し下げることにより、前記容器検知体が前記インターロックを解除し前記電源を入れることを可能とするように構成されたものである。
【００１２】
上記構成によって、中継部品は幅方向の寸法制約を受けず、強度的に可能な限りコンパクト化が可能で、コップ台とコップのねじ嵌合を確実なものすることができる。また、中継部品はその上端が雌ねじであるため、パッキンの有無等に関係なく所定の位置に規制されるので、容器検知体のストロークを安定かつ少なくすることができる。無論、コップ台を単体で本体上に載せても中継部品は上方に逃げるため、容器検知体は動作せずインターロックが解除しないため電源は入れられず安全である。
【００１３】
【発明の実施の形態】
本発明の請求項１記載の発明は、電動機と電源のインターロックを内蔵する本体と、この本体に着脱自在に載置されるコップ台に、外周面に雄ねじを設けたコップを前記コップ台の内周面に設けた雌ねじとねじ嵌合することで前記コップ台に着脱自在に取り付ける構成とした容器と、所定位置まで下動すると前記インターロックを解除する容器検知体と、前記雌ねじの部分に形成した切り欠き内に設けられ上端が前記コップの雄ねじに嵌合する雌ねじとなる遊嵌した中継部品とを備え、前記容器は、前記コップ台に前記コップをセットした時、前記雄ねじが前記中継部品の位置を規制するように構成され、かつこの状態で前記本体に載せられると前記中継部品が前記容器検知体を押し下げることにより、前記容器検知体が前記インターロックを解除し前記電源を入れることを可能とするように構成されたものである。
【００１４】
そしてコップ台を単体で本体に載せても容器検知体が動作せずインターロックが解除しないため電源を入れられないことに加え、中継部品は幅方向の寸法制約を受けず、強度的に可能な限りコンパクト化が可能で、コップ台とコップのねじ嵌合を確実なものすることができ、また、中継部品はその上端が雌ねじであるため、パッキンの有無等に関係なく所定の位置に規制されるので、容器検知体のストロークを安定かつ少なくすることができる。
【００１５】
本発明の請求項２記載の発明は、請求項１の構成においてコップ台の切り欠きの上部に雌ねじを形成したもので、中継部品の上方をガードすることができ、中継部品を指等で容易に押せないようにすることができる。
【００１６】
本発明の請求項３記載の発明は、請求項２記載の構成において、コップ台を単体で本体に載置した時、中継部品はコップの雄ねじで位置規制がされず上下動可能であり、この時の前記中継部品の上死点を切り欠きの上端としたもので、中継部品の上端と切り欠きの上部の雌ねじとの隙間を詰めることができ、中継部品を指等で更に容易に押せないようにすることができる。
【００１７】
本発明の請求項４記載の発明は、請求項１記載の構成において、中継部品が上死点に移動し、かつ、コップがコップ台にセットされた時、前記中継部品の雌ねじは近接するコップ台の雌ねじの位置に規制されるようにしたもので、中継部品の雌ねじが切り欠きの上端に圧接されることを防止し、破損の恐れがない。
【００１８】
本発明の請求項５記載の発明は、請求項１の構成において、中継部品が上死点に移動し、かつ、コップがコップ台にセットされた時、前記中継部品の雌ねじは前記コップの雄ねじに押されても切り欠きの上端側に前記切り欠きの上端に圧接されることなく変位するようにしたもので、中継部品の雌ねじが切り欠きの上端に圧接されることを防止し、破損の恐れがない。
【００１９】
本発明の請求項６記載の発明は、請求項１記載の構成において、中継部品を複数設け、同形状で下死点の異なるようにしたもので、複数の中継部品を共用化することができ、また、嵌合位置が増えるので、使い勝手が向上する。
【００２０】
本発明の請求項７記載の発明は、請求項１記載の構成において、中継部品を複数設け、異形状で下死点を同一としたもので、容器検知体のストロークを小さくすることができ、また、嵌合位置が増えるので、使い勝手が向上する。
【００２１】
本発明の請求項８記載の発明は、請求項１記載の中継部品を複数、かつ、一体としたもので、部品点数を減らすことができる。
【００２２】
本発明の請求項９記載の発明は、請求項１記載の構成において、コップ台を単体で本体に載置した時、中継部品はコップの雄ねじで位置規制がされず上下動可能であり容器検知体がインターロックの解除動作をせず、かつ前記コップ台を前記本体に載置しない時、前記コップ台を逆様にしたり、斜めにして前記コップに嵌合しても、前記中継部品が下死点で固定されるように、前記コップ台は弾性体または前記中継部品に設けた弾性部により前記中継部品を下方に付勢したもので、コップとコップ台を嵌合させるとき、コップ台を逆様にしたり、斜めにしてコップに嵌合しても、中継部品は下方に付勢されているので下死点で固定されることとなり、容器を本体に載置したときインターロックを解除し、電源を入れることができる。
【００２３】
【実施例】
（実施例１）
本発明の実施例１について図１〜図３を用いて説明する。図１、図２で、２１は電動機（図示せず）と電源のインターロック（図示せず）を内蔵し駆動コネクタ２２を有する本体で、上部に設けたツノ２３の部分にコップ台２４を着脱自在に載置している。コップ台２４にはカッター２５と従動コネクタ２６を回転自在に軸支し、パッキン２７を挟み込んでガラスまたは樹脂製のコップ２８をねじ嵌合で着脱自在に取り付けて容器２９を構成している。３０はコップ台２４の内周面の雌ねじ、３１はコップ２８の外周面の雄ねじであり、雌ねじ３０の部分には切り欠き３２を設けるとともに、その上部には雌ねじ３３も設けている。切り欠き３２内には中継部品３４を上下動可能に取り付けており、その上端には雌ねじ３５を設けている。３６は容器検知体で、容器検知体３６が所定位置まで下動すると本体２１に内蔵された電源のインターロックを解除するように構成されている。
【００２４】
コップ台２４が自由な状態すなわち中継部品３４が下死点にいる時にコップ台２４にコップ２８をセットするとコップ２８の雄ねじ３１により中継部品３４は図１の位置に規制される。この状態で容器２９を本体２１に載せると、容器検知体３６は押し下げられ、インターロックが解除し、電源を入れることが可能となる。
【００２５】
また図３のようにコップ台２４を単体で本体２１に載せても容器検知体３６が動作せずインターロックが解除しないため電源は入らない。この時、雌ねじ３３が中継部品３４の上方をガードしているため、指等で容易に押せなくなっている。なお、雌ねじ３３はコップ２８の雄ねじ３１が問題なく螺動するのであれば、特にねじ形状をしていなくてもよい。
【００２６】
また、コップ台２４を単体で本体２１に載置した時の中継部品３４の上死点を切り欠き３２の上端とすれば、中継部品３４の上端の雌ねじ３５と切り欠き３２の上部の雌ねじ３３との隙間を詰めることができ、中継部品３４を指等で更に容易に押せないようにすることもできる。
【００２７】
結果として、中継部品３４は幅方向の寸法制約を受けないので、強度的に可能な限りコンパクト化が可能となる。例えば、ねじピッチの１／２程度の幅でもよい。このため、コップ台２４の雌ねじ３０を十分確保することができ、コップ台２４とコップ２８のねじ嵌合を確実なものすることができる。
【００２８】
また、中継部品３４はその上端が雌ねじ３５であるため、パッキン２７の有無等に関係なく図１の位置に規制されるので、容器検知体３６のストロークを安定かつ少なくすることができる。
【００２９】
なお、容器検知体３６そのものも容易に指等で押せないようリブ３７で囲われており、安全が確保されている。
【００３０】
（実施例２）
本発明の実施例２について図３〜図６を用いて説明する。図３は、コップ台２４を単体で本体２１に載置した時、中継部品３４が上死点３８に移動した様子を示している。次に図４のように、コップ台２４にコップ２８がセットされた時、中継部品３４の雌ねじ３５はコップ２４の雄ねじ３１により下側に付勢されるような形状、位置関係にしてある。そして図５のように、中継部品３４の雌ねじ３５は下方に押され近接するコップ台２４の雌ねじ３０の位置に規制される。中継部品３４の雌ねじ３５がコップ２８を締め付けることにより切り欠き３２の上端に圧接されることを防止しているので、中継部品３４に過大な力が加わることなく、破損の恐れもない。
【００３１】
図６は、中継部品３４が上死点３８に移動し、かつ、コップ２８がセットされた時、中継部品３４の雌ねじ３５はコップ２８の雄ねじ３１に押され変位する様子を表している。これにより、中継部品３４の雌ねじ３５がコップ２８を締め付けることにより切り欠き３２の上端に圧接されることを防止しているので、中継部品３４に過大な力が加わることなく、破損の恐れもない。
【００３２】
（実施例３）
本発明の実施例３について図７、図８を用いて説明する。図７は、同形状の中継部品３４を３個１２０°の等間隔に設け、下死点３９がそれぞれ１／３ピッチ毎異なるようにしてある図である。これにより、下死点３９を変えることで中継部品３４を同形状とし、共用化を図ることができる。また、嵌合位置が増えるので、使い勝手が向上する。
【００３３】
図８は、異形状の中継部品３４を３個１２０°の等間隔に設け、下死点３９を同一としてある図である。これにより下死点３９が変動しないので容器検知体３６のストロークを小さくすることができる。また、嵌合位置が増えるので、使い勝手が向上する。
【００３４】
なお、中継部品３４を全て同形状とすると、ストロークが増えるので、そのうちのいくつか同形状とし、ストロークの増加を抑えつつ、いくつかの共用化を図る複合手段も用いる方法もある。
【００３５】
（実施例４）
本発明の実施例４について図９、図１０を用いて説明する。図９では、中継部品３４を３個とし、リング４０でつなぎ一体としてある。これにより部品点数を減らすことができる。
【００３６】
また、例えば、容器検知体３６が１つの場合、コップ台２４を単体で本体２１に載せた時、容器検知体３６の直上の中継部品３４だけ上方に付勢され、また、その他の中継部品３４はリング４０でつながっているため、中継部品３４全てがバランスよく上方に移動せずこじてしまい、容器検知体３６がコップ２８なしの状態でインターロックを解除し、不安全になることが考えられる。そこで、図１０のように付勢物４１を２箇所設けると、コップ台２４を単体で本体２１に載せた時、こじることなくスムーズな上方への移動が可能となり、不安全にはならない。なお、この付勢物は容器検知体としてもよい。
【００３７】
（実施例５）
本発明の実施例５について図１１を用いて説明する。図１１（ａ）では、中継部品３４をばね４１で下方に付勢している。これによりコップ２８とコップ台２４を嵌合させるとき、コップ台２４を逆様にしたり、斜めにしてコップ２８に嵌合しても、中継部品３４は下方に付勢されているので下死点で固定されることとなり、容器２９を本体２１に載置したときインターロックを解除し、電源を入れることができる。もちろん、中継部品３４を付勢する力はコップ台２４を逆様にしたときなど、下死点に留める程度の弱いものであり、カッター２５が露出した状態でコップ台２４を本体２１に載置しても容器検知体３６は動作せず、インターロックは解除しないため、電源は入れられず、安全である。
【００３８】
図１１（ｂ）では付勢はコイルバネであるが、板バネ、ねじりバネ、皿バネ等どのようなバネでもよい。あるいは他の弾性体、例えばゴム、樹脂などでもよい。また、中継部品３４そのものに弾性のある部位を設け、それにより付勢をおこなってもよい。例として図１１（ｂ）のように屈曲させた弾性部４２を中継部品３４に設けるなどしてもよい。
【００３９】
（実施例６）
本発明の実施例６について図１２を用いて説明する。図１２では、コップ台２４の雌ねじ３０には切り欠きを設けておらず、かつ、中継部品３４は雌ねじ３０の外側に設けている。４３は中継部品３４を押し下げる突起で環状に形成されている。このようにしても、実施例１と同様な効果を得ることができる。なお、突起４３はコップ２８と一体であっても、別体であってもよい。別体の場合は接着、溶着、機械的結合などの方法を用いればよい。
【００４０】
なお、コップの材質は樹脂、ガラス、金属など、どのような材質でも対応可能である。
【００４１】
【発明の効果】
以上のように本発明によれば、コップ台とコップのねじ嵌合を確実なものとし、かつ、容器検知体のストロークを安定かつ少なくすることができ、コップ台を単体で本体上に載せても電源が入らない安全な電動調理器を得ることができる。
【図面の簡単な説明】
【図１】  本発明の実施例１におけるミキサーの断面図
【図２】  同、コップ台の内部の斜視図
【図３】  本発明の実施例１、２におけるミキサーのコップなしの要部断面図
【図４】  本発明の実施例２におけるミキサーの断面図
【図５】  同、ミキサーの断面図
【図６】  同、ミキサーの断面図
【図７】  本発明の実施例３におけるミキサーの要部断面図
【図８】  同、ミキサーの要部断面図
【図９】  本発明の実施例４における中継部品の斜視図
【図１０】  同、本体の上面図
【図１１】  （ａ）本発明の実施例５におけるミキサーの断面図
（ｂ）本発明の実施例６におけるミキサーの断面図
【図１２】  同ミキサーの断面図
【図１３】  従来の実施例のミキサーの断面図
【図１４】  同、コップ台と中継部品の斜視図
【図１５】  （ａ）従来の実施例の中継部品の先端の角度４５°で上死点の時の動作図
（ｂ）同先端の角度４５°で上死点から１ピッチ動かした時の動作図
（ｃ）同先端の角度３０°で上死点の時の動作図
（ｄ）同先端の角度３０°で上死点から１ピッチ動かした時の動作図
【図１６】  従来の実施例のコップ台の平面図
【符号の説明】
２１  本体
２４  コップ台
２８  コップ
２９  容器
３０、３３、３５  雌ねじ
３１  雄ねじ
３２  切り欠き
３４  中継部品
３６  容器検知体
３８  上死点
３９  下死点
【図１】
0003708463.tif 000002
【図２】
0003708463.tif 000003
【図３】
0003708463.tif 000004
【図４】
0003708463.tif 000005
【図５】
0003708463.tif 000006
【図６】
0003708463.tif 000007
【図７】
0003708463.tif 000008
【図８】
0003708463.tif 000009
【図９】
0003708463.tif 000010
【図１０】
0003708463.tif 000011
【図１１】
0003708463.tif 000012
【図１２】
0003708463.tif 000013
【図１３】
0003708463.tif 000014
【図１４】
0003708463.tif 000015
【図１５】
0003708463.tif 000016
【図１６】
0003708463.tif 000017